(57)【特許請求の範囲】
【請求項１】
移動局と基地局との間の無線回線を所定の受信品質に維持するため、前記無線回線の送信電力制御で用いる目標値を変更制御する第１のステップと、
前記無線回線での受信データブロックの誤り状態を示す受信品質に応じて前記目標値の変更量を可変制御する第２のステップと
を備え、
前記第２のステップは、前記受信データブロックに誤りがない連続ブロック数に応じて、前記変更量を可変制御する第３のステップを備え、
前記第３のステップは、前記連続ブロック数が大きくなると前記目標値の減少量を大きくする第４のステップを備え、
前記第４のステップは、前記連続ブロック数が前記所定値となった直後に、前記減少量を予め定められた最大量とするステップを備えることを特徴とする目標値制御方法。
【請求項２】
前記第４のステップは、前記連続ブロック数が所定値の前後で、前記減少量を小から大に切替えるステップをさらに備えることを特徴とする請求項１に記載の目標値制御方法。
【請求項３】
移動局から基地局への上り無線回線についての受信品質を前記基地局から受け取る選択合成手段と、
前記上り無線回線を所定の受信品質に維持するため、前記基地局での前記上り無線回線の送信電力制御で用いる目標値を変更し、変更された前記目標値を前記基地局へ通知する目標値制御手段と、
を備え、
前記目標値制御手段は、
前記無線回線での受信データブロックの誤り状態を示す受信品質に応じて前記目標値の変更量を可変制御して、前記受信データブロックに誤りがない連続ブロック数が大きくなると前記目標値の減少量を大きくするとともに、前記連続ブロック数が前記所定値となった直後に、前記減少量を予め定められた最大量とすることを特徴とする基地局制御装置。
【請求項４】
前記目標値制御手段は、前記連続ブロック数が所定値の前後で、前記減少量を小から大に切り替えることを特徴とする請求項３に記載の基地局制御装置。
【請求項５】
基地局から当該移動局への下り無線回線のＳＩＲ（Ｓｉｇｎａｌｉｎｇ  Ｉｎｔｅｒｆｅｒｅｎｃｅ  Ｒａｔｉｏ）を測定する下り回線ＳＩＲ測定手段と、
前記下り無線回線の受信品質を測定する下り回線品質測定手段と、
前記下り無線回線を所定の受信品質に維持するため、前記基地局に対する前記下り無線回線の送信電力制御で用いる目標値を変更する目標値制御手段と、
前記更新された目標値と前記ＳＩＲとの比較結果に応じて前記下り無線回線の送信電力の上げ下げを基地局へ指示する手段と
を備え、
前記目標値制御手段は、
前記無線回線での受信データブロックの誤り状態を示す受信品質に応じて前記目標値の変更量を可変制御して、前記受信データブロックに誤りがない連続ブロック数が大きくなると前記目標値の減少量を大きくするとともに、前記連続ブロック数が
前記所定値となった直後に、前記減少量を予め定められた最大量とする
ことを特徴とする移動局。
【請求項６】
前記目標値制御手段は、前記連続ブロック数が所定値の前後で、前記減少量を小から大に切り替えることを特徴とする請求項５に記載の移動局。
【発明の詳細な説明】
【技術分野】  本発明は送信電力制御のための目標値制御方法及びそれに用いる基地局制御装置並びに移動局に関し、特に移動通信システムにおける移動局と基地局との間の無線回線での送信電力制御のための目標送信電力値の変更制御方式の改良に関するものである。
【背景技術】  従来の移動通信システムにおける送信電力制御方式について説明する。移動通信システムは、一般に、図１に示す如く、移動局１と、無線基地局（以下、単に基地局と称す）２，３と、これ等基地局を制御する基地局制御装置４とを有している。
上り回線（ＵＬ：Ｕｐ  Ｌｉｎｋ）の電力制御について説明すると、基地局は、ＵＬの無線受信レベルと等価であるＳＩＲ（Ｓｉｇｎａｌｉｎｇ  Ｉｎｔｅｒｆｅｒｅｎｃｅ  Ｒａｔｉｏ）を測定し、基地局制御装置４から通知されたＵＬの目標ＳＩＲ（目標送信電力値）と比較する。目標ＳＩＲよりも測定ＳＩＲが小さい場合には、下り回線（ＤＬ：Ｄｏｗｎ  Ｌｉｎｋ）を介して移動局１に対して、ＵＬ送信電力を予め指定されたステップ量だけ上げることを指示する。逆に、測定ＳＩＲが目標ＳＩＲよりも大きい場合には、ＤＬを介して移動局に対して、ＵＬ送信電力を予め指定されたステップ量だけ下げることを指示する。
基地局制御装置４は、複数の基地局２，３から通知されるＵＬの無線品質（受信データ品質を含む）を受けて、ＵＬの受信品質を一定に保つように制御するための情報（目標ＳＩＲ）を計算する。この目標ＳＩＲの計算方法について以下に説明する。なお、以下では、目標ＳＩＲをＳＩＲｔと略記する。
受信データブロックのＢＬＥＲ（Ｂｌｏｃｋ  Ｅｒｒｏｒ  Ｒａｔｉｏ）を一定値（目標ＢＬＥＲであり、以下ＢＬＥＲｔと略記する）に保つために、受信データブロックに誤りがある場合は、ＳＩＲｔをΔＳＩＲｔだけ大きくする。すなわちＳＩＲｔを（ＳＩＲｔ＋ΔＳＩＲｔ）に更新する。受信データブロックに誤りがなければ、ＳＩＲｔをΔＳＩＲｔ×ＢＬＥＲｔ／（１−ＢＬＥＲｔ）だけ小さくする。すなわち、ＳＩＲｔを（ＳＩＲｔ−ΔＳＩＲｔ×ＢＬＥＲｔ／（１−ＢＬＥＲｔ））に更新するのである。
具体的には、目標ＳＩＲであるＳＩＲｔは図９に示す如く更新制御されることになる。すなわち、所要ＳＩＲ（図９の点線）が５ｄＢであり、ΔＳＩＲｔが０．５ｄＢであり、また目標ＢＬＥＲであるＢＬＥＲｔが０．０１（１％）の場合に、ＳＩＲｔが５ｄＢを下回ると受信データにエラーが生じてＳＩＲｔがΔＳＩＲｔ＝０．５ｄＢだけ大きくなる。その後、（１−ＢＬＥＲｔ）／ＢＬＥＲｔ＝９９（９９ブロック数に相当）回の間、ＳＩＲｔが５ｄＢ以上であるので、９９ブロック相当期間経過して、再びＳＩＲｔが５ｄＢを下回る（図９では、５ｄＢの点線上にあるように示しているが、実際には、わずかにこの５ｄＢの点線を下回ることになる）。
すると、受信データにエラーが生ずるので、再びΔＳＩＲｔ＝０．５ｄＢだけＳＩＲｔが大きくなり、以降同様な動作を繰り返すことになるのである。こうして、上り回線（ＵＬ）の無線品質が目標ＢＬＥＲ（ＢＬＥＲｔ）を満足するように送信電力制御動作がなされるようになっている。なお、以上の送信電力制御方式については、例えば、Ａｓｈｗｉｎ  Ｓａｍｐａｔｈ  ｅｔ  ａｌ．，”Ｏｎ  Ｓｅｔｔｉｎｇ  Ｒｅｖｅｒｓｅ  Ｌｉｎｋ  Ｔａｒｇｅｔ  ＳＩＲ  ｉｎ  ａ  ＣＤＭＡ  Ｓｙｓｔｅｍ”，Ｖｅｈｉｃｕｌａｒ  Ｔｅｃｈｎｏｌｏｇｙ  Ｃｏｎｆｅｒｅｎｃｅ，１９９７  ＩＥＥＥ  ４７ｔｈ，Ｖｏｌ．２，４−７  Ｍａｙ，１９９７，ｐｐ．９２９−９３３に開示されている。
上述した従来の移動通信システムにおける送信電力制御方式においては、以下のような問題がある。すなわち、無線伝搬環境の変化により、所要無線品質を得るための所要受信レベルが小さくなった場合、それに追従して素早く受信レベルを小さくすることができないという問題がある。
一般に、移動局の移動速度が変化する場合には、それに伴って所要ＳＩＲも変化する。例えば、高速移動状態から低速移動状態に短時間で変化した場合、所要ＳＩＲは大から小になるが、いま、所要ＳＩＲが、図１０の点線で示す如く、１５ｄＢから５ｄＢへ変化した場合、上述した従来方式では、目標ＳＩＲ（ＳＩＲｔ）は、図１０の実線で示す如く、徐々に低下するために、素早く受信レベルを小さくすることが不可能である。従って、その間、過剰な電力での通信がなされることになり、過剰通信品質となり、消費電力が無駄となるという点がある。
【発明の開示】
本発明の目的は、無線伝搬環境の変化により所要受信品質を得るための所要受信レベルが小さくなった場合、早く受信レベルを小さくすることができ、また早く受信レベルを小さくしても、受信品質が劣化することがない移動通信システムにおける送信電力制御のための目標値制御方法及びそれに用いる基地局制御装置並びに移動局を提供することである。
本発明による目標値制御方法は、移動局と基地局との間の無線回線を所定の受信品質に維持するため、無線回線の送信電力制御で用いる目標値を変更制御する第１のステップと、無線回線の受信品質に応じて目標値の減少量を可変制御する第２のステップとを備えることを特徴とする。
本発明による基地局制御装置は、移動局から基地局への上り無線回線についての受信品質を基地局から受け取る選択合成手段と、上り無線回線を所定の受信品質に維持するため、基地局での上り無線回線の送信電力制御で用いる目標値を変更するとともに、受信品質に応じて目標値の減少量を可変制御し、変更された目標値を基地局へ通知する目標値制御手段とを備えることを特徴とする。
本発明による移動局は、基地局から当該移動局への下り無線回線のＳＩＲ（Ｓｉｇｎａｌｉｎｇ  Ｉｎｔｅｒｆｅｒｅｎｃｅ  Ｒａｔｉｏ）を測定する下り回線ＳＩＲ測定手段と、下り無線回線の受信品質を測定する下り回線品質測定手段と、下り無線回線を所定の受信品質に維持するため、基地局に対する下り無線回線の送信電力制御で用いる目標値を変更するとともに、受信品質に応じて目標値の減少量を可変制御する目標値制御手段と、更新された目標値とＳＩＲとの比較結果に応じて下り無線回線の送信電力の上げ下げを基地局へ指示する手段とを備えることを特徴とする。
本発明によるプログラムは、移動局から基地局への上り無線回線の送信電力制御のための目標値を、所定の受信品質に維持するために変更制御する基地局制御装置の動作をコンピュータにより実行させるためのプログラムであって、上り無線回線の受信品質に応じて目標値の減少量を可変制御するステップを実行させることを特徴とする。
本発明による他のプログラムは、基地局からの下り無線回線の送信電力制御のための目標値を、所定の受信品質に維持するために変更制御する移動局の動作をコンピュータにより実行させるためのプログラムであって、下り無線回線の受信品質に応じて目標値の減少量を可変制御するステップを実行させることを特徴とする。
【図面の簡単な説明】  図１は、本発明の実施例が適用される概略システム構成図である。
図２は、図１の各装置の機能ブロック図である。
図３は、本発明の第一の実施例のフロー図である。
図４は、本発明の第一の実施例における目標ＳＩＲの変化例を示す図である。
図５は、本発明の第二の実施例のフロー図である。
図６は、本発明の第二の実施例における目標ＳＩＲの変化例を示す図である。
図７は、本発明の第三の実施例のフロー図である。
図８は、本発明の第三の実施例における目標ＳＩＲの変化例を示す図である。
図９は、所要ＳＩＲが５ｄＢの場合の目標ＳＩＲの変化例を示す図である。
図１０は、従来の目標ＳＩＲの変化例を示す図である。
【発明を実施するための最良の形態】  以下に図面を用いて本発明の実施例について詳述する。
［移動通信システム］
図１は本発明の実施例が適用される移動通信システムの概略図であり、移動局１、基地局２，３、基地局制御局装置４を有している。図２は図１における移動局１、基地局２，３、基地局制御装置４の機能ブロック図である。なお、基地局２，３については同一構成であるために、図では基地局２のみについての機能ブロックを示している。
［基地局］
図２を参照して基地局２について説明する。受信機２１は移動局１からのＵＬ信号を受信するものである。上り回線ＳＩＲ測定部２２はＵＬの受信レベルによりＵＬ  ＳＩＲを測定するものである。上り回線Ｔａｒｇｅｔ  ＳＩＲと上り回線ＳＩＲ比較部２３は、ＵＬ  ＳＩＲと基地局制御装置４から通知されたＵＬ  ｔａｒｇｅｔ  ＳＩＲ（ＵＬ目標ＳＩＲ：ＵＬ  ＳＩＲｔ）とを比較して、ＵＬ  ＳＩＲｔよりもＵＬ  ＳＩＲが小さい場合は、ＤＬを介して移動局に対してＵＬの送信電力を上げることを指示する情報を送信機２６へ送り、逆に、ＵＬ  ＳＩＲｔよりもＵＬ  ＳＩＲが大きい場合は、ＤＬを介して移動局に対してＵＬの送信電力を下げることを指示する情報を送信機２６へ送るものである。
上り回線無線品質又は受信データ品質測定部２４は、受信機２１からの受信信号のＵＬの無線品質又は受信データ品質を測定し、その測定結果を基地局制御装置４へ通知するものである。下り回線送信電力計算部２５は、受信機２１からのＤＬの送信電力指示情報を抽出し、この情報に従ってＵＬの送信電力を計算して送信機２６へ通知するものである。送信機２６は、ＵＬの送信電力の上げ／下げを指示する情報を送信し、また下り回線送信電力計算部２５により指示された送信電力値で送信するものである。
［基地局制御装置］
基地局制御装置４について説明する。上り回線無線品質又は受信データ品質の選択合成部４１は、一つまたは複数の基地局から通知されるＵＬの無線品質又は受信データ品質を受けて、選択合成するものである。上り回線Ｔａｒｇｅｔ  ＳＩＲ更新部４２は、選択合成されたＵＬの無線品質又は受信データ品質と、予め定められている所要品質を満たすＵＬの無線品質又は受信データ品質とを比較し、所要品質を満足するように、ＵＬ  ｔａｒｇｅｔ  ＳＩＲ（ＵＬ  ＳＩＲｔ）を更新し、更新したＵＬ  ＳＩＲｔを基地局へ通知するものである。
［移動局］
移動局１について説明する。受信機１１は基地局からの下り回線信号を受信するものである。下り回線ＳＩＲ測定部１２はＤＬの無線受信レベルと等価なＳＩＲを測定するものである。下り回線無線品質又は受信データ品質測定部１３は、受信機１１から受けた受信信号のＤＬの無線品質又は受信データ品質を測定し、この測定結果を下り回線Ｔａｒｇｅｔ  ＳＩＲ更新部１４へ通知するものである。下り回線Ｔａｒｇｅｔ  ＳＩＲ更新部１４は、ＤＬの受信品質又は受信データ品質と、予め定められた所要品質を満たすＤＬの無線品質又は受信データ品質とを比較して、所要品質を満たすように、ＤＬ  Ｔａｒｇｅｔ  ＳＩＲを更新し、更新したＤＬ  Ｔａｒｇｅｔ  ＳＩＲを、下り回線Ｔａｒｇｅｔ  ＳＩＲと下り回線ＳＩＲ比較部１５へ通知するものである。
下り回線Ｔａｒｇｅｔ  ＳＩＲと下り回線ＳＩＲ比較部１５は、ＤＬ  ＳＩＲとＤＬの目標無線受信レベルであるＤＬ  Ｔａｒｇｅｔ  ＳＩＲとを比較し、ＤＬ  Ｔａｒｇｅｔ  ＳＩＲよりもＤＬ  ＳＩＲが大きい場合には、ＵＬを介して基地局に対してＤＬの送信電力を下げることを指示する情報を送信機１７へ送り、逆に、ＤＬ  Ｔａｒｇｅｔ  ＳＩＲよりもＤＬ  ＳＩＲが小さい場合は、ＵＬを介して基地局に対してＤＬの送信電力を上げることを指示する情報を送信機１７へ送るものである。上り回線送信電力計算部１６は、受信機１１から受けた信号から上り送信電力指示情報を抽出して、この指示情報に従ってＵＬの送信電力を計算し、送信機１７へ通知するものである。送信機１７は、ＤＬの送信電力の上げ／下げを指示する情報を基地局へ送信し、また上り回線送信電力計算部１６により指示された送信電力値で送信するものである。
［第一の実施例］
かかる構成を用いて、本発明の第一の実施例に係る送信電力制のための目標ＳＩＲ（Ｔａｒｇｅｔ  ＳＩＲ：ＳＩＲｔと称す）の更新制御態様について説明する。先ず、ＵＬの送信電力制御の場合を説明する。基地局は、上り回線ＳＩＲ測定部２２で、ＵＬの無線受信レベルであるＳＩＲを測定し、この測定されたＳＩＲと、基地局制御装置４から予め通知されているＵＬの目標ＳＩＲであるＳＩＲｔとを、比較部２３にて比較する。この比較の結果、ＳＩＲｔよりもＳＩＲが小さい場合には、ＤＬを介して移動局１に対して、ＵＬの送信電力を上げることを指示し、逆に、ＳＩＲｔよりもＳＩＲが大きい場合は、ＤＬを介して移動局１に対して、ＵＬの送信電力を下げることを指示するよう動作する。
上り回線無線品質又は受信データ品質測定部２４において、ＵＬの無線品質（受信データ品質をも含むものとする）を測定し、この測定結果を基地局制御装置４へ通知する。この無線品質とは、例えば受信データブロックの誤り情報であり、ＢＬＥＲ（Ｂｌｏｃｋ  Ｅｒｒｏｒ  Ｒａｔｉｏ）と称す。基地局制御装置４は、複数の基地局から通知されるＵＬの無線品質を受信して、ＵＬの受信品質を一定に保つように制御するための情報であるＵＬ  Ｔａｒｇｅｔ  ＳＩＲ（ＳＩＲｔ）を、上り回線Ｔａｒｇｅｔ  ＳＩＲ更新部４２で計算する。
この場合のＵＬのＳＩＲｔの計算方法は、図３のフローチャートに示す如くである。ＵＬの無線品質としてＵＬのＢＬＥＲを用いて、このＢＬＥＲを一定の目標値（ＢＬＥＲｔ）に保つ場合、受信データブロックに誤りがあると（ステップＳ１：ＹＥＳ）、ＳＩＲｔをΔＳＩＲｔ（予め定められた一定値）だけ大きくする。すなわち、ＳＩＲｔをＳＩＲｔ＋ΔＳＩＲｔに更新する（ステップＳ２）。受信データブロックに誤りがないと（Ｓ１：ＮＯ）、ＳＩＲｔを、ＳＩＲｔ−ｉｎｔ｛１＋（ＣＢＮ−１）×ＢＬＥＲｔ｝×ΔＳＩＲｔ×ＢＬＥＲｔ／（１−ＢＬＥＲｔ）に更新する（ステップＳ３）。
ここで、ｉｎｔ｛｝は、小数点以下切り捨てとして整数とする関数を意味し、ＣＢＮは連続して受信データブロックに誤りがない回数（Ｃｏｎｔｉｎｕｏｕｓ  Ｂｌｏｃｋ  Ｎｕｍｂｅｒ）を示すものとする。いま、ＢＬＥＲｔ＝０．０１％であるとすると、ＣＢＮ＝１〜１００の場合は、ｉｎｔ｛｝＝１となって、ＳＩＲｔは、ＳＩＲｔ−ΔＳＩＲｔ×ＢＬＥＲｔ／（１−ＢＬＥＲｔ）に更新され、従来例と同じとなる。
しかし、ＣＢＮ＝１０１〜２００の場合には、ｉｎｔ｛｝＝２となって、ＳＩＲｔ−２×ΔＳＩＲｔ×ＢＬＥＲｔ／（１−ＢＬＥＲｔ）に更新され、ＣＢＮ＝２０１〜３００の場合には、ｉｎｔ｛｝＝３となって、ＳＩＲｔはＳＩＲｔ−３×ΔＳＩＲｔ×ＢＬＥＲｔ／（１−ＢＬＥＲｔ）に更新されることになる。すなわち、連続して受信データブロックに誤りがない回数が増大すれば、それに伴ってＳＩＲｔの減少量を大きくするものである。こうすることにより、図１０に示した従来例と同じ条件の下では、図４に示す如く、ＳＩＲｔは変化することになる。
尚、図４においては、点線の如く所要ＳＩＲが１５ｄＢから５ｄＢへ変化した場合に、連続して受信データブロックに誤りがないときのＳＩＲｔの変化例である。図４と図１０とを比較して明らかな如く、本実施例によるＳＩＲｔの制御方式によれば、所要ＳＩＲが大から小に変化した場合、極めて速やかに目標ＳＩＲ（ＳＩＲｔ）を所要ＳＩＲ（図の例では５ｄＢ）とすることができ、よってＵＬの受信レベルも小さくすることが可能となる。
こうして計算し更新されたＳＩＲｔは基地局の比較部２３へ通知され上り回線のＴａｒｇｅｔ  ＳＩＲとなることは明らかである。
以上はＵＬの送信電力制御におけるＳＩＲｔの更新制御の場合であるが、ＤＬの送信電力制御におけるＳＩＲｔの更新制御について述べる。移動局１は、下り回線ＳＩＲ測定部１２において、ＤＬの無線受信レベルであるＳＩＲを測定し、この測定されたＳＩＲと、予め定められたＤＬの目標ＳＩＲであるＳＩＲｔとを、比較部１５にて比較する。比較の結果、ＳＩＲｔよりもＳＩＲが小さい場合は、ＵＬを介して基地局に対して、ＤＬの送信電力を上げることを指示し、逆にＳＩＲｔよりもＳＩＲが大きい場合、ＵＬを介して基地局に対して、ＤＬの送信電力を下げることを指示するよう動作する。
下り回線無線品質又は受信データ品質測定部１３において、ＤＬの無線品質（受信データ品質をも含む）を測定し、この測定結果を下り回線Ｔａｒｔｇｅｔ  ＳＩＲ更新部１４へ通知する。この無線品質とは、例えば受信データブロックの誤り情報ＢＬＥＲである。更新部１４において、この通知されたＤＬのＢＬＥＲを用いて、ＤＬの受信品質を一定に保つように制御するための情報であるＤＬ  Ｔａｒｇｅｔ  ＳＩＲ（ＳＩＲｔ）を計算することになる。この場合の計算手法も、図３のフローチャートに示した手順と同一であり、こうして計算し更新されたＳＩＲｔは比較部１５へ通知されて、下り回線のＴａｒｇｅｔ  ＳＩＲとなる。このときのＳＩＲｔの変化例も、図４に示すものと同じである。
［第二の実施例］
次に、本発明の第二の実施例に係る送信電力制御のための目標ＳＩＲ（ＳＩＲｔ）の制御態様について説明する。先ず、ＵＬの送信電力制御におけるＳＩＲｔの制御方式につき説明する。基地局の上り回線品質又は受信データ品質測定部２４において、ＵＬのＢＬＥＲを測定して基地局制御装置４へ通知する。この基地局制御装置４は、複数の基地局から通知されるＵＬのＢＬＥＲを受けて、ＵＬの受信品質が一定になるように制御するための情報であるＵＬ  Ｔａｒｇｅｔ  ＳＩＲ（ＳＩＲｔ）を、上り回線Ｔａｒｇｅｔ  ＳＩＲ更新部４２にて計算する。
この場合のＵＬのＳＩＲｔの計算方法は、図５のフローチャートに示す如くである。ＵＬの無線品質として、ＵＬのＢＬＥＲを用いてこのＢＬＥＲを一定の目標値（ＢＬＥＲｔ）に保つ場合、受信データブロックに誤りがあると（ステップＳ２１：ＹＥＳ）、ＳＩＲｔをΔＳＩＲｔ（予め定められた一定値）だけ大きくする（ステップＳ２２）。受信データに誤りがない場合には（ステップＳ２１：ＮＯ）、以下の２つの場合分けが行われる。
すなわち、受信データブロックの連続誤りなしの回数閾値Ｃｔｈを導入し、受信データブロックに連続して誤りがない回数ＣＢＮ（Ｃｏｎｔｉｎｕｏｕｓ  Ｂｌｏｃｋ  Ｎｕｍｂｅｒ）がＣｔｈ／ＢＬＥＲｔ以下か、それより大かの２つのケースで、ＳＩＲｔの更新態様を変えるのである。いま、ＢＬＥＲｔ＝０．０１（１％）として、Ｃｔｈ＝２．０（通常は、１．０〜３．０）とすると、Ｃｔｈ／ＢＬＥＲｔ＝２００回となるので、ＣＢＮが２００以下の場合には（ステップＳ２３：ＹＥＳ）、ＳＩＲｔを、ＳＩＲｔ−ΔＳＩＲｔ×ＢＬＥＲｔ／（１−ＢＬＥＲｔ）に更新する（ステップＳ２４）。これは、第一の実施の態様や従来例と同じである。
ＣＢＮが２００を超えると（ステップＳ２３：ＮＯ）、ＳＩＲｔをＳＩＲｔ−ΔＳＩＲｔに更新する（ステップＳ２５）。すなわち、連続して受信データブロックに誤りがない回数が所定閾値を超えると、予め定められた最大量（ΔＳＩＲｔ）だけ、一度にＳＩＲｔを減少させるのである。
この第二の実施例における目標ＳＩＲの変化例を、図６に示している。図６における条件は、図１０、図４の場合と同一としており、Ｃｔｈ／ＢＬＥＲｔ＝２００（Ｃｔｈ＝２．０）の場合である。
以上はＵＬの送信電力制御におけるＳＩＲｔの更新方法であるが、ＤＬの場合については、移動局１において、上記と同じ更新動作が行われるものである。
［第三の実施例］
次に、本発明の第三の実施例について説明する。この実施例では、第一の実施例と、第二の実施例とを組合せたものであり、その動作手順が図７に示されている。図７において、図５と同等ステップは同一符号により示されている。図５との差異は、ステップ２３において、“ＹＥＳ”（肯定）と判定された場合に、ＳＩＲｔを、ＳＩＲｔ＝ＳＩＲｔ−ｉｎｔ｛１＋（ＣＢＮ−１）×ＢＬＥＲｔ｝×ΔＳＩＲｔ×ＢＬＥＲｔ／（１−ＢＬＥＲｔ）に更新する（ステップＳ２６）ものであり、図３のステップＳ３と同じとなる。
この第三の実施例における目標ＳＩＲの変化例を、図８に示しており、図８における条件も、図１０、図４、図６と同一であり、Ｃｔｈ／ＢＬＥＲｔ＝３００（Ｃｔｈ＝３．０）の場合である。
以上の各実施例で示した如く、所要ＳＩＲが１５ｄＢから５ｄＢへ変化した場合、シミュレーション結果によれば、第一の実施例ではＢＬＥＲ＝０．９５％となり、第二の実施例では、ＢＬＥＲ＝０．９９％となって、いずれも目標ＢＬＥＲ＝１％（０．０１）を満足するものである。
上述の各実施例の動作は、予めプログラムとして記録媒体にその動作手順を格納しておき、これをコンピュータにより読み取って実行することができることは明らかである。
以上述べた如く、上述した実施例によれば、受信データブロックに連続して誤りがない回数に応じて目標ＳＩＲの変化量（減少量）を制御するようにして、その回数が大になれば、それに伴って減少量を大とすることにより、無線伝搬環境の変化により所要受信品質が得られる所要受信レベルが小となっても、素早く受信レベルを小にすることができるという効果がある。従って、従来例に比して早く受信レベルを小にできることから、過剰電力、過剰通信品質で送信をなくすことができることになる。また、早く受信レベルを小さくしても、受信品質が劣化しないという効果もある。
【図１】
0004613822.tif 000002
【図２】
0004613822.tif 000003
【図３】
0004613822.tif 000004
【図４】
0004613822.tif 000005
【図５】
0004613822.tif 000006
【図６】
0004613822.tif 000007
【図７】
0004613822.tif 000008
【図８】
0004613822.tif 000009
【図９】
0004613822.tif 000010
【図１０】
0004613822.tif 000011